(57)【要約】      （修正有）【課題】送風機のモータの取り外し作業をより容易に行うことのできる空気調和機を提供する。【解決手段】空気調和機の室内機１は、筐体と、筐体内において左右方向に延びるクロスフローファン（送風機）２１と、クロスフローファン２１を駆動する駆動モータ３１と、駆動モータ３１を収容するモータケース３２とを備えている。モータケース３２は、筐体に対して取り外し可能に取り付けられている。モータケース３２は、クロスフローファン２１の長手方向に隣接して配置されている。また、モータケース３２における、クロスフローファン２１との隣接面とは反対側の側面には、モータケース３２の取り外し時に作業者の指が接触する指掛け部３３が設けられている。【選択図】図５
2018197626.tif 000002
【特許請求の範囲】
【請求項１】
筐体と、
前記筐体内において左右方向に延びる送風機と、
前記送風機を駆動するモータと、
前記モータを収容し、前記筐体に対して取り外し可能に取り付けられているモータケースと
を備えている空気調和機であって、
前記モータケースは、前記送風機の長手方向に隣接して配置されており、
前記モータケースにおける、前記送風機との隣接面とは反対側の側面には、前記モータケースの取り外し時に作業者の指が接触する指掛け部が設けられている、
空気調和機。
【請求項２】
前記モータケースは、前記左右方向に移動させることで前記筐体から取り外し可能であり、
前記筐体には、前記モータケースの前記左右方向の移動を規制し、前記モータケースが前記筐体から外れることを抑制する抜け抑制部が設けられており、
前記モータケースが前記筐体に取り付けられた状態で、前記抜け抑制部は、前記指掛け部とは、正面視で異なる位置に配置されている、
請求項１に記載の空気調和機。
【請求項３】
前記モータケースが前記筐体に取り付けられた状態で、前記抜け抑制部は、前記指掛け部よりも背面側に位置し、かつ、
前記抜け抑制部と前記指掛け部とは、正面視で略同じ高さに位置している、
請求項２に記載の空気調和機。
【請求項４】
前記指掛け部には、前記モータケースに対する前記抜け抑制部の移動規制作用を解除するための解除部が設けられており、
前記指掛け部が押されることで、前記解除部は、前記抜け抑制部の移動規制作用を解除するように構成されている、
請求項２または３に記載の空気調和機。
【請求項５】
前記モータケースに対する前記指掛け部の接続位置は、
前記モータケースの外周面よりも、前記モータケース内に配置される前記モータの回転中心に対応する位置により近くなっている、請求項１から４の何れか１項に記載の空気調和機。
【請求項６】
前記筐体には、前記モータケースの取り付け位置に、前記モータケースの前記左右方向の移動を補助する摺動部が設けられており、
前記指掛け部は、前記モータケース内に配置される前記モータの回転中心に対応する位置よりも、前記摺動部により近い位置に配置されている、請求項１から５の何れか１項に記載の空気調和機。
【発明の詳細な説明】
【技術分野】
【０００１】
本発明は、空気調和機に関し、より具体的には空気調和機に備えられた送風機のモータ周辺の構造に関する。
【背景技術】
【０００２】
空気調和機の室内機には、室内へ空調された風を送り出すための送風機が備えられている。送風機の性能には、室内の空調分布や快適性向上のため、幅広い風向範囲を有することが求められる。室内機の送風機としては、例えば、クロスフローファンが用いられる。
【０００３】
送風機は、一般に、室内機の左右方向に延びる略円筒状の形状を有している。そして、送風機の左右方向の一端部には、送風機を駆動するためのモータが配置されている。
【０００４】
例えば、特許文献１には、空気調和機の室内機が開示されている。室内機は、熱交換器１およびファン２を内装しているキャビネット３を有する。熱交換器１およびファン２は、キャビネット３内の左右方向に沿って配されている。ファン２を駆動するモータ２２は、ファン２の軸方向の一端側（具体的には、キャビネット３を正面から見て右側）に設けられている。モータ２２は、モータケース２４に収納されている。
【０００５】
モータケース２４は、キャビネット３を構成する背面板１０に着脱可能に装着されている。具体的には、モータケース２４は、キャビネット３に対して軸方向に移動可能となっている。また、キャビネット３には、モータケース２４を支えながら軸方向の移動を案内するガイド部が設けられている。モータケース２４がファン２から離れた出入スペースＳまで移動したとき、モータケース２４は、ガイド部から離間可能あるいはガイド部に係合可能となる。なお、出入スペースＳの一部には、電装ボックス２０が収納されている。
【先行技術文献】
【特許文献】
【０００６】
【特許文献１】特許第５９４０８１３号公報
【発明の概要】
【発明が解決しようとする課題】
【０００７】
特許文献１に開示された空気調和機は、上記のような構成を有することで、電装ボックス２０を取り外した後、モータケース２４を軸方向にスライドさせて出入スペースＳへ移動させ、キャビネット３から取り外すことができる。このように、特許文献１に開示された空気調和機では、熱交換器１の本体部分を取り外すことなく、モータケース２４の着脱を行うことができる。このような構成のモータケースでは、室内機からの取り外し作業をより容易に行うことができるように、さらなる改良の余地がある。
【０００８】
そこで、本発明では、送風機を駆動するためのモータが着脱可能な構成において、モータの取り外し動作の作業性をより向上させた空気調和機を提供することを目的とする。
【課題を解決するための手段】
【０００９】
本発明の一局面にかかる空気調和機は、筐体と、前記筐体内において左右方向に延びる送風機と、前記送風機を駆動するモータと、前記モータを収容し、前記筐体に対して取り外し可能に取り付けられているモータケースとを備えている。前記モータケースは、前記送風機の長手方向に隣接して配置されており、前記モータケースにおける、前記送風機との隣接面とは反対側の側面には、前記モータケースの取り外し時に作業者の指が接触する指掛け部が設けられている。
【発明の効果】
【００１０】
本発明の一局面にかかる空気調和機によれば、送風機のモータの取り外し作業をより容易に行うことができる。
【図面の簡単な説明】
【００１１】
【図１】本発明の一実施形態にかかる空気調和機の室内機の外観を示す斜視図である。
【図２】第１の実施形態にかかる室内機の内部構成を示す斜視図である。この図では、室内機を下面側から見た状態を示す。
【図３】第１の実施形態にかかる室内機の内部構成を示す斜視図である。この図では、図２に示す室内機からドレンパンを取り外した状態を示す。
【図４】第１の実施形態にかかる室内機の内部構成を示す斜視図である。この図では、図３に示す室内機から室内側熱交換器を取り外した状態を示す。
【図５】第１の実施形態にかかる室内機の内部構成を示す斜視図である。この図では、図３に示す室内機からクロスフローファンおよびモータ部を取り外す様子を示す。
【図６】図２に示す室内機の構成部品を示す分解斜視図である。
【図７】図４に示す室内機のＸ−Ｘ線部分の構成を示す断面図である。
【図８】図３に示す室内機の内部の右側部分を示す正面図であって、モータ部を取り外した状態の図である。
【図９】図３に示す室内機の内部の右側部分を示す斜視図であって、モータ部を取り付けた状態の図である。
【図１０】図４に示す室内機の内部の右側部分を示す側面図である。
【図１１】図３に示す室内機に備えられたモータ部を示す斜視図である。
【図１２】図１１に示すモータ部の構成部品を示す分解斜視図である。
【図１３】（ａ）および（ｂ）は、第１の実施形態にかかる室内機からモータ部を取り外すときの操作を示す斜視図である。
【図１４】第２の実施形態にかかる室内機の内部構成を示す斜視図である。この図では、室内機の内部の右側部分を示す。
【図１５】図１４に示す室内機に備えられたモータ部を示す斜視図である。
【図１６】図１４に示す室内機の内部の右側部分を示す側面図である。
【図１７】第３の実施形態にかかる室内機の内部構成を示す斜視図である。この図では、室内機の内部の右側部分を示す。
【図１８】図１７に示す室内機に備えられたモータ部を示す斜視図である。
【図１９】第３の実施形態にかかる室内機に備えられたモータ部の指掛け部周辺の構成を示す斜視図である。
【図２０】第４の実施形態にかかる室内機の内部構成を示す斜視図である。この図では、室内機の内部の右側部分を示す。
【図２１】図２０に示す室内機に備えられたモータ部を示す斜視図である。
【図２２】図２０に示す室内機の内部の右側部分を示す側面図である。
【図２３】第５の実施形態にかかる室内機の内部構成を示す斜視図である。この図では、室内機の内部の右側部分を示す。
【図２４】図２３に示す室内機に備えられたモータ部を示す斜視図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
〔第１の実施形態〕
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。図１は、本実施の形態に係る空気調和機の室内機１の外観構成を示す。図２および図３には、室内機１の内部構成を示す。図２では、筐体１０を構成する前面パネル１１、本体パネル１２、およびフラップ１５を、室内機１から取り外した状態を示す。図３では、図２に示す状態からドレンパン２３を取り外した状態を示す。
【００１４】
室外機には、圧縮機、室外側熱交換器、四方弁、膨張弁などが備えられている。これらと室内機１側に備えられた室内側熱交換器２２とによって冷凍サイクルが構成される。
【００１５】
次に、室内機１の概略的な構成について、図１および図２を用いて説明する。図１に示すように、室内機１は、略直方体状の形状を有しており、通常、部屋の壁の上部に掛けられて使用される。図２に示すように、室内機１内には室内側熱交換器２２が備えられている。室内側熱交換器２２は、冷媒配管２４を介して室外機側の圧縮機などと接続されている。これにより、この室内機１と室外機とは、冷凍サイクルを構成し、その結果、空気調和機として機能する。
【００１６】
図１に示すように、室内機１は、筐体１０で外形が形成される。筐体１０は、略直方体状の樹脂成形品である。図１に示すように、筐体１０は、主として、前面パネル１１、本体パネル１２、背面パネル１３、およびフラップ１５で構成されている。
【００１７】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。
【００１８】
また、室内機１の右側とは、室内機１を正面から見たときの右側を意味し、室内機１の左側とは、室内機１を正面から見たときの左側を意味する。そして、室内機１の上下方向と交差または直交し、室内機１の右側から左側、あるいは、室内機１の左側から右側へ向かう方向のことを、左右方向または水平方向という。
【００１９】
前面パネル１１は、筐体１０の前面（正面）に位置する。前面パネル１１は、本体パネル１２に対して開閉可能に取り付けられている。通常、前面パネル１１を開けると、フィルタ（図示せず）が前面部に現れる。フィルタ（図示せず）は、本体パネル１２の上面に設けられた吸込み口１４の下方に設けられている。フィルタは、吸込み口１４から室内機１の内部に取り込まれる空気に含まれる埃や塵を捕捉する。フィルタの背面側には、室内側熱交換器２２およびクロスフローファン（送風機）２１などが配置されている。
【００２０】
また、本体パネル１２の下部には、吸込み口から吸い込んだ空気を送出する吹出口が設けられており、吹出口にフラップ１５が開閉可能に設けられている。フラップ１５には、駆動モータ（図示せず）が連結されている。駆動モータは、電気配線（図示せず）を介して電装基板（図示せず）に通信接続されており、空気調和機の運転中、電装基板に設けられた制御部からの制御信号に従ってフラップ１５の回動角度を調節する。
【００２１】
また、背面パネル１３の右側面部の背面側の下方には、電源コード（電気配線）の最終出口１３ａが形成されている。先端にプラグを有する電源コードの下流側は、最終出口１３ａから室内機１の外へ出る。
【００２２】
＜室内機の内部構成＞
続いて、室内機１の内部のより具体的な構成について、図２から図６を参照しながら説明する。
【００２３】
図２および図３には、室内機１の内部を、室内機の下方側から見た状態を示す。図２に示すように、室内機１の内部には、クロスフローファン２１、室内側熱交換器２２、ドレンパン２３、モータ部３０、および電装ボックス（図示せず）などが備えられている。図２および図３は、電装ボックスが取り外された状態を示している。
【００２４】
図４には、室内機１の内部に備えられたクロスフローファン２１およびモータ部３０を示す。図４では、ドレンパン２３および室内側熱交換器２２を取り外した状態の室内機１を、その下面側から見た状態を示す。図５には、室内機１からクロスフローファン２１およびモータ部３０を取り外す様子を示す。また、図６には、室内機１の内部に備えらえた各種部品を分解した状態で示す。
【００２５】
クロスフローファン２１は、室内側熱交換器２２の下方側に配置され、室内機１の内部を左右方向に延びている。クロスフローファン２１は、モータ部３０内の駆動モータ（モータ）３１に連結されている。そして、クロスフローファン２１は、空気調和機の運転中、駆動モータ３１によって回転駆動され、室内の空気を筐体１０に吸い込んで室内側熱交換器２２に供給すると共に、室内側熱交換器２２で熱交換された空気を室内に送出する。なお、駆動モータ３１は、電気配線を介して電装ボックス内に配置された電装基板（図示せず）に通信接続されており、電装基板に設けられた制御部から送信される制御信号に従って動作する。
【００２６】
室内側熱交換器２２は、複数の熱交換器を、クロスフローファン２１を覆う屋根（逆Ｖ字）のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。室内側熱交換器２２は冷媒配管２４と接続されている（図６参照）。図示はしていないが、室内側熱交換器２２は、冷媒配管２４を介して、室外機側の圧縮機、膨張弁などと接続されている。
【００２７】
ドレンパン２３は、室内側熱交換器２２の下方に配置されており、室内側熱交換器２２において生成されたドレン水を受ける。また、ドレンパン２３は、その下方において、上下風向板（図示せず）などの風向変更板を動作可能に支持している。すなわち、ドレンパン２３は、風向板取付機構としての機能も果たしている。
【００２８】
モータ部３０は、主として駆動モータ３１と、モータケース３２とで構成されている。駆動モータ３１は、クロスフローファン２１と接続されており、クロスフローファン２１の回転を駆動する。モータケース３２は、駆動モータ３１を収容する。モータケース３２は、室内機１の本体部（本実施形態では、筐体１０を構成する背面パネル１３）に対して取り外し可能に取り付けられている（図５参照）。モータ部３０のより具体的な構成については、後述する。
【００２９】
電装ボックスは、例えば、筐体１０内の右側端部（すなわち、モータ部３０の右隣）に配置される。なお、図２および図３では、電装ボックスの図示は省略している。電装ボックスは電装基板を備えている。電装基板には、中央処理演算部（制御部）、信号送受信部などが搭載されている。電装基板は、電気配線を介して、冷凍サイクルの各構成部材と接続されている。
【００３０】
図４に示すように、クロスフローファン２１は、室内機１の内部を左右方向に延びる略円筒形状の部品である。室内機１の左右方向に沿って配置されている円筒形状のクロスフローファン２１の軸方向のことを、クロスフローファン２１の長手方向と呼ぶ。クロスフローファン２１の長手方向に隣接して、モータ部３０が配置されている。
【００３１】
本実施形態では、クロスフローファン２１の右隣に、クロスフローファン２１を軸回転させるモータ部３０が配置されている。モータ部３０を構成する駆動モータ３１の軸部３４（図１２など参照）が、クロスフローファン２１の回転軸と連結されている。
【００３２】
このように、本実施形態では、クロスフローファン２１の右側端部において、クロスフローファン２１の回転軸と駆動モータ３１とが接続されている。しかし、本発明の他の実施態様では、クロスフローファン２１の左側にモータ部３０が配置されていてもよい。この場合には、モータ部は、本実施形態で説明するモータ部３０とは左右対称の構成を有する。
【００３３】
本実施形態では、モータ部３０およびクロスフローファン２１を取り外すことができる。これにより、モータ部３０およびクロスフローファン２１のメンテナンスや、各構成部品の交換を容易に行うことができる。モータ部３０を取り外す際には、先ず、室内機１内の右側端部に配置されている電装ボックスを取り外す。その後、モータ部３０を右方向へスライドさせる（図５の矢印Ａ参照）。これにより、モータ部３０を室内機１から取り外すことができる。
【００３４】
その後、クロスフローファン２１の右側部分を下方（図５では手前）へ引き出した後（図５の矢印Ｂ参照）、クロスフローファン２１の左側部分を、室内機１の本体部（本実施形態では、背面パネル１３）から取り外す。これにより、クロスフローファン２１を室内機１から取り外すことができる。
【００３５】
以上のように、本実施形態にかかる空気調和機では、室内側熱交換器２２の本体部分を取り外すことなく、モータ部３０およびクロスフローファン２１を取り外すことができる。
【００３６】
なお、作業者がモータ部３０の矢印Ａ方向への移動をより行い易くするために、モータ部３０には、指掛け部３３が設けられている。指掛け部３３は、電装ボックスを取り外した状態で、室内機１の側面側に露出するモータ部３０の側面に設けられている（図３参照）。例えば本実施形態では、指掛け部３３は、モータケース３２の右側端部に配置されている。指掛け部３３には、モータ部３０の取り外し作業時に、作業者の手指が接触する。そして、指掛け部３３は、モータ部３０をスライド移動させる際の把持部となる。
【００３７】
＜モータ部の構成＞
続いて、モータ部３０のより具体的な構成について、図１１および図１２を参照しながら説明する。図１１には、モータ部３０の外観を示す。図１２には、モータ部３０の各構成部品を示す。以下の説明において、モータ部３０および各構成部品の各部位の名称は、モータ部３０を室内機１に取り付けた状態での位置を基準にして付けられている。例えば、モータケース３２の左側の側面とは、モータ部３０を室内機１に取り付けた状態で、室内機１を正面から見た場合に左側に位置する側面を意味する。
【００３８】
上述したように、モータ部３０は、主として、駆動モータ３１とモータケース３２とで構成されている。
【００３９】
図１２に示すように、駆動モータ３１は、略円筒形状の本体部を有している。また、駆動モータ３１は、軸部３４およびコネクタ部３５を有している。
【００４０】
軸部３４は、本体部の略円形状の一側面から突出するように形成されている。本実施形態では、軸部３４は、駆動モータ３１の本体部の左側の側面から突出している。軸部３４は、クロスフローファン２１の回転軸と接続される。
【００４１】
コネクタ部３５は、電装ボックスから延びる各種配線と接続される。これにより、コネクタ部３５を介して、駆動モータ３１に電源が供給される。また、コネクタ部３５には、電装ボックス内の電装基板から延びる配線も接続される。これにより、電装基板の制御部からの制御信号が、コネクタ部３５を介して駆動モータ３１に送信される。駆動モータ３１は、制御部から送信された制御信号に基づいて、運転の開始および停止、並びに、回転数などが制御される。本実施形態では、コネクタ部３５は、室内機１の正面側に位置するように配置される。
【００４２】
モータケース３２は、内部に駆動モータ３１を収容している。モータケース３２は、駆動モータ３１の形状に合わせて、略円筒形状の外形を有している。但し、モータケース３２の背面部３６（室内機１に設置したときに背面側に位置する部分）は、平坦な形状となっている。これは、モータケース３２の背面部３６が、室内機１の本体と（より具体的には、背面パネル１３）と接続されるためである（図１０など参照）。
【００４３】
図１２に示すように、モータケース３２は、２つに分割された前ケース３２ａと後ケース３２ｂとで構成されている。モータ部３０が室内機１に取り付けられた状態で、前ケース３２ａは前方側に位置し、後ケース３２ｂは後方側に位置する。後ケース３２ｂは、背面部３６を有している。図１１および図１２では、モータケース３２の背面部３６が下側に位置するように図示されている。モータケース３２は、例えば、特許文献１において説明されている形状を適用することができる。
【００４４】
なお、本実施形態にかかるモータケース３２は、特許文献１のモータケースとは異なる構成として、指掛け部３３を有している。本実施形態では、図１２に示すように、指掛け部３３は、モータケース３２の右側面（クロスフローファン２１との隣接面とは反対側の側面）から突出した形状を有している。具体的には、指掛け部３３は、室内機１の正面から見て逆「Ｌ」字の形状（「Ｌ」字が１８０度回転した形状）に形成されている。モータ部３０を室内機１から取り外す際に、作業者は、この逆Ｌ字状の指掛け部３３内に指を入れ、外方向（本実施形態では、右方向）へ指掛け部３３を押し出すことで、取り外し作業を容易に行うことができる（図１３（ｂ）参照）。
【００４５】
＜モータ部３０の着脱動作について＞
続いて、モータ部３０の室内機１からの着脱動作について、図５、図７から図１０、および図１３を参照しながら説明する。図７は、室内機１の内部構成を示す断面図である。図７は、図４のＸ−Ｘ線部分の断面図である。図８および図９は、室内機１の右側端部の内部構成を示す。図８では、モータ部３０が取り外された状態を示す。図９では、モータ部３０が取り付けられた状態を示す。図１０には、室内機１の内部の右側面部を示す。図１０では、電装ボックスが取り外された状態を示している。図１３（ａ）（ｂ）には、モータ部３０を取り外す際の作業者の指の動作を示す。
【００４６】
先ず、モータ部３０と室内機１（具体的には、背面パネル１３）との接続機構について説明する。図８に示すように、筐体１０を構成する背面パネル１３には、モータケース３２のスライド移動（左右方向の移動）を補助するレール部（摺動部）４１、４２、および４３が設けられている。本実施形態では、複数のレール部が設けられているが、他の態様では、レール部は１つのみでもよい。各レール部４１、４２、および４３は、モータケース３２の左右方向の移動をガイドできるように、左右方向に略平行に延びる形状にそれぞれ形成されている。
【００４７】
そして、中央に位置するレール部４１の先端部（右側端部）には、ツメ部４１ａが形成されている。ツメ部４１ａは、室内機１の前方側に突起した形状を有している。すなわち、モータ部３０が背面パネル１３に取り付けられた状態では、ツメ部４１ａは、モータケース３２の右側面よりも右側に位置し、かつ、モータケース３２の背面部３６よりも前方側に突出している（図９参照）。これにより、ツメ部４１ａは、モータ部３０が室内機１内に取り付けられた状態で、モータケース３２の左右方向の移動を規制し、モータケース３２が背面パネル１３から外れることを抑制する抜け抑制部として機能する。
【００４８】
なお、モータ部３０を室内機１から取り外す際には、ツメ部４１ａを後方側に押すことで、ツメ部４１ａの抜け抑制作用を解除し、モータ部３０を右側へスライドさせることができる（図１３（ｂ）参照）。
【００４９】
本実施形態では、モータ部３０を室内機１に取り付けた状態で、指掛け部３３は、ツメ部４１ａの近傍に位置するように配置されている（図１０参照）。具体的には、指掛け部３３は、背面部３６よりもやや前方側に位置する。また、図８に示すように、指掛け部３３は、モータ部３０の上下方向において、駆動モータ３１の軸部３４と略同じ位置（略同じ高さ）に位置している。さらに、正面視において、指掛け部３３は、レール部４１およびツメ部４１ａの配置位置（図８の一点鎖線）と略同じ高さに位置している。
【００５０】
ツメ部４１ａと指掛け部３３とが、上記のような位置関係で配置されていることで、作業者は片手（例えば、右手のみ）でモータ部３０の取り外しを行うことができる。
【００５１】
すなわち、作業者は、片手で、モータケース３２に対するツメ部４１ａの移動規制作用を解除しつつ、指掛け部３３を利用して、モータ部３０をスライド移動させることができる。例えば、図１３（ａ）に示すように、室内機１からモータ部３０を取り外すときに、作業者は、右手の親指を指掛け部３３内に入れる。そして、ツメ部４１ａの傾斜面を親指で押し（図１３（ａ）の矢印Ａ参照）、レール部４１を下方へずらす（図１３（ｂ）の矢印Ｂ参照）。その後、指掛け部３３に親指を当て、右方向へスライドさせる（図１３（ｂ）の矢印Ｃ参照）。
【００５２】
以上の一連の動作により、モータ部３０は横方向へ移動し、室内機１の本体部分から取り外される（図５参照）。
【００５３】
モータ部３０を室内機１に取り付ける際には、例えば、指掛け部３３を二本の指で把持し、モータ部３０を左方向へスライド移動させて室内機１に嵌め込む。またあるいは、人差し指または中指の何れか１本の指を指掛け部３３に引っ掛けてモータ部３０を支持し、モータ部３０を左方向へ押し込むようにしてもよい。このとき、各レール部４１、４２、および４３の各位置に合致するように、モータケース３２の背面部３６の各部を位置合わせすることで、適切な位置にモータ部３０を取り付けることができる。
【００５４】
＜第１の実施形態のまとめ＞
指掛け部３３が存在しない従来のモータ部では、作業者の片方の手（例えば、左手）でツメ部４１ａを押さえつつ、もう片方の手（例えば、右手）でモータケース３２の外周を把持してモータ部３０を横方向へ移動させる必要がある。これに対して、指掛け部３３が設けられている本実施形態の構成によれば、作業者は、片方の手のみを用いてモータ部３０の取り外し作業を行うことができる。そのため、モータ部３０の室内機１からの取り外し作業をより容易に行うことができる。
【００５５】
また、室内機１の本体部（具体的には、背面パネル１３）側のモータ部３０の取り付け位置には、ツメ部４１ａが形成されている。ツメ部４１ａが設けられていることで、モータ部３０が室内機１に取り付けられた状態で、モータ部３０が室内機１から外れることを抑制することができ、モータ部３０を安定した状態で配置させることができる。
【００５６】
なお、本実施形態では、指掛け部３３は、モータケース３２の側面から下方に向けて突出したＬ字状の形状を有している。そして、ツメ部４１ａは、モータケース３２が室内機１に取り付けられた状態で、指掛け部３３よりも背面側に位置している。さらに、ツメ部４１ａと指掛け部３３とは、正面視で略同じ高さに位置している。
【００５７】
この構成によれば、指掛け部３３のＬ字部分に前方側から指を入れ、背面側にあるツメ部４１ａを押すことができる。さらに、この状態で、挿入した指を用いて指掛け部３３を横方向に押すことができる（図１３参照）。したがって、例えば、親指などの１本の指のみを用いて、モータ部３０の取り外しを行うことができる。
【００５８】
以上のように、モータケース３２が室内機１本体に取り付けられた状態で、ツメ部４１ａなどの抜け抑制部は、正面視で指掛け部３３とは異なる位置であって、指掛け部３３の近傍に配置されていることが好ましい。これにより、片方の手の１本または複数本の指を用いて、室内機１に対するモータ部３０の係止状態を解除しつつ、モータ部３０を横方向へ移動させることができる。
【００５９】
そのため、片方の手のみでモータ部３０の取り外しを行うことができる。電装ボックスおよびモータ部３０は、室内機１内の側方の狭い空間内に配置されている場合が多い。そのため、片方の手のみでモータ部３０の取り外しを行うことができれば、モータ部３０の取り外し作業時の作業性がより向上する。
【００６０】
また、本実施形態では、室内機１の本体部（具体的には、背面パネル１３）側のモータ部３０の取り付け位置には、レール部４１が設けられている。そして、指掛け部３３は、駆動モータ３１の軸部３４に対応する位置からレール部４１寄りに配置されている。すなわち、指掛け部３３は、駆動モータ３１の軸部３４（すなわち、回転中心Ｃ）と、ツメ部４１ａが設けられたレール部４１との間の位置であって、回転中心Ｃよりも、ツメ部４１ａにより近い側に配置されている（図１０参照）。
【００６１】
この構成によれば、指掛け部３３に載置された作業者の指からの力が、レール部４１へより伝達されやすくなる。そのため、モータ部３０の取り外し作業をより容易に行うことができる。
【００６２】
〔第２の実施形態〕
本発明の第２の実施形態について、図１４から図１６を参照しながら説明する。図１４には、第２の実施形態にかかる室内機１０１に備えられたモータ部１３０を示す。なお、第２の実施形態にかかる室内機１０１において、モータ部１３０以外の構成については、第１の実施形態と同様の構成が適用できる。そこで、第１の実施形態と同じ構成が適用できる構成部材については、第１の実施形態と同じ符号を付し、その説明を省略する。
【００６３】
室内機１０１の内部には、クロスフローファン２１、室内側熱交換器２２、ドレンパン２３、モータ部１３０、および電装ボックス（図示せず）などが備えられている。クロスフローファン２１、室内側熱交換器２２、ドレンパン２３、および電装ボックスについては、第１の実施形態と同様の構成が適用できる。
【００６４】
モータ部１３０は、正面から見てクロスフローファン２１の右隣に配置されている。図１５には、モータ部１３０の外観を示す。モータ部１３０は、主として駆動モータ３１と、モータケース１３２とで構成されている。駆動モータ３１は、第１の実施形態と同様の構成が適用できる。
【００６５】
モータケース１３２は、内部に駆動モータ３１を収容している。モータケース１３２は、室内機１の本体部（本実施形態では、筐体１０を構成する背面パネル１３）に対して取り外し可能に取り付けられている。モータケース１３２は、駆動モータ３１の形状に合わせて、略円筒形状の外形を有している。但し、モータケース１３２の背面部１３６は、平坦な形状となっている。これは、モータケース１３２の背面部１３６が、室内機１の本体と（より具体的には、背面パネル１３）と接続されるためである（図１６参照）。
【００６６】
モータケース１３２は、２つに分割された前ケース１３２ａと後ケース１３２ｂとで構成されている。後ケース１３２ｂは、背面部１３６を有している。
【００６７】
なお、本実施形態にかかるモータケース１３２は、指掛け部１３３を有している。指掛け部１３３は、第１の実施形態のモータケース３２の指掛け部３３とは異なる形状を有している。図１５に示すように、指掛け部１３３は、モータケース１３２の側面から突出した形状を有している。本実施形態では、指掛け部１３３は、室内機１の下方から見て、左右反転した「Ｌ」字の形状を有している。
【００６８】
モータ部１３０を室内機１から取り外す際に、作業者は、このＬ字状の指掛け部１３３内に指を入れ、外方向（本実施形態では、右方向）へ指掛け部１３３を引き出すことで、取り外し作業を容易に行うことができる。
【００６９】
なお、第１の実施形態では、親指を指掛け部３３に入れて取り出し作業を行うことが望ましい。一方、本実施形態では、指掛け部１３３の下方から右手の親指を入れ（図１５中の矢印Ａ参照）、指掛け部１３３の上方から右手の人差し指を入れ（図１５中の矢印Ｂ参照）、上下に挟み込むようにして指掛け部１３３を把持することが望ましい。これにより、モータ部１３０を矢印Ｃ方向に引き出す作業が行い易くなる。
【００７０】
また、第１の実施形態と同様に、筐体１０を構成する背面パネル１３には、モータケース１３２のスライド移動（左右方向の移動）を補助するレール部（摺動部）４１、４２、および４３が設けられている（図１６参照）。そして、中央に位置するレール部４１の先端部（右側端部）には、ツメ部４１ａが形成されている。ツメ部４１ａは、第１の実施形態と同様の形状を有している。モータ部１３０を室内機１から取り外す際には、ツメ部４１ａを後方側に押すことで、ツメ部４１ａの抜け抑制作用を解除し、モータ部１３０を右側へスライドさせることができる。
【００７１】
本実施形態では、図１６に示すように、ツメ部４１ａは、モータケース１３２が室内機１に取り付けられた状態で、指掛け部１３３よりも背面側に位置している。さらに、ツメ部４１ａと指掛け部１３３とは、正面視で略同じ高さに位置している。より厳密には、指掛け部１３３は、ツメ部４１ａよりもやや下方に位置している。また、第１の実施形態の指掛け部３３と比較して、本実施形態の指掛け部１３３は、駆動モータ３１の回転中心Ｃにより近い位置に配置されている。
【００７２】
この構成によれば、右手の人差し指と親指とで指掛け部１３３を把持した状態で、右手の残りの指（例えば、中指など）を用いてツメ部４１ａを押すという作業を行い易くすることができる。これにより、片方の手の複数本の指を用いて、室内機１に対するモータ部１３０の係止状態を解除しつつ、モータ部１３０を横方向へ移動させることができる。
【００７３】
〔第３の実施形態〕
本発明の第３の実施形態について、図１７から図１９を参照しながら説明する。図１７には、第３の実施形態にかかる室内機２０１に備えられたモータ部２３０を示す。なお、第３の実施形態にかかる室内機２０１において、モータ部２３０以外の構成については、第１の実施形態と同様の構成が適用できる。そこで、第１の実施形態と同じ構成が適用できる構成部材については、第１の実施形態と同じ符号を付し、その説明を省略する。
【００７４】
室内機２０１の内部には、クロスフローファン２１、室内側熱交換器２２、ドレンパン２３、モータ部２３０、および電装ボックス（図示せず）などが備えられている。クロスフローファン２１、室内側熱交換器２２、ドレンパン２３、および電装ボックスについては、第１の実施形態と同様の構成が適用できる。
【００７５】
モータ部２３０は、正面から見てクロスフローファン２１の右隣に配置されている。図１８には、モータ部２３０の外観を示す。モータ部２３０は、主として駆動モータ３１と、モータケース２３２とで構成されている。駆動モータ３１は、第１の実施形態と同様の構成が適用できる。
【００７６】
モータケース２３２は、内部に駆動モータ３１を収容している。モータケース２３２は、室内機１の本体部（本実施形態では、筐体１０を構成する背面パネル１３）に対して取り外し可能に取り付けられている。モータケース２３２は、駆動モータ３１の形状に合わせて、略円筒形状の外形を有している。但し、モータケース２３２の背面部２３６は、平坦な形状となっている。これは、第１の実施形態などと同様に、モータケース２３２の背面部２３６が、室内機１の本体と（より具体的には、背面パネル１３）と接続されるためである。
【００７７】
モータケース２３２は、２つに分割された前ケース２３２ａと後ケース２３２ｂとで構成されている。後ケース２３２ｂは、背面部２３６を有している。
【００７８】
なお、本実施形態にかかるモータケース２３２は、指掛け部２３３を有している。指掛け部２３３は、第１の実施形態のモータケース３２の指掛け部３３とは異なる形状を有している。図１８に示すように、指掛け部２３３は、モータケース２３２の側面から突出した形状を有している。
【００７９】
本実施形態では、指掛け部２３３は、主として、把持部２３３ａと板状部２３３ｂとで構成されている。把持部２３３ａは、板状部２３３ｂの先端から前方側に延びる部材である。モータ部２３０の取り出し作業時に、作業者は把持部２３３ａを把持する。板状部２３３ｂは、モータケース２３２の右側面から右方向へ突出している。図１８に示すように、板状部２３３ｂは、モータケース２３２との接続部から先端側へ向かうにしたがって、背面部２３６の方へ傾斜するような形状となっている。
【００８０】
さらに、板状部２３３ｂの背面には、突起２３７が形成されている。突起２３７は、背面パネル１３側に形成されたツメ部（抜け抑制部）２４１ａの（モータケース２３２に対する）移動規制作用を解除するための解除部として機能する。
【００８１】
以下に、モータ部２３０を室内機１から取り外す方法について、図１９を参照しながら説明する。図１９には、モータケース２３２の指掛け部２３３周辺の構成を拡大して示す。
【００８２】
モータ部２３０を室内機１から取り外すとき、作業者は、指掛け部２３３の把持部２３３ａを把持する。具体的には、右手の親指と人差し指とで把持部２３３ａを上下または左右に挟み込む。そして、把持部２３３ａを外側（本実施形態では、右方向）へ引くことで、モータ部２３０の取り外しを行うことができる。
【００８３】
また、第１の実施形態と同様に、筐体１０を構成する背面パネル１３には、モータケース２３２のスライド移動（左右方向の移動）を補助するレール部（摺動部）４１、４２、および４３が設けられている。そして、中央に位置するレール部４１の先端部（右側端部）には、ツメ部２４１ａが形成されている。さらに、本実施形態では、ツメ部２４１ａのさらに先端側に、平坦部２４１ｂが形成されている。平坦部２４１ｂは、モータ部２３０が室内機１に取り付けられた状態での正面視において、指掛け部２３３の突起２３７と重なる位置に形成されている。また、本実施形態の指掛け部２３３は、第２の実施形態の指掛け部１３３と比較して、モータケース２３２の背面部２３６により近い位置に配置されている。
【００８４】
すなわち、第１の実施形態と同様に、指掛け部２３３は、駆動モータ３１の軸部３４（すなわち、回転中心Ｃ）と、ツメ部２４１ａが設けられたレール部４１との間の位置であって、回転中心Ｃよりも、ツメ部２４１ａにより近い側に配置されている。
【００８５】
この構成により、指掛け部２３３を背面側（図１９の矢印Ａ方向）へ押すことで、突起２３７が平坦部２４１ｂに当たり、ツメ部２４１ａが後方へ傾斜する。これにより、室内機１に対するモータ部２３０の係止状態が解除される。すなわち、本実施形態では、指掛け部２３３が押されることで、突起２３７がツメ部２４１ａの移動規制作用を解除するように構成されている。
【００８６】
以上のように、室内機１からモータ部２３０を取り外す際には、例えば、右手の親指と人差し指とで把持部２３３ａを把持し、後方側（図１９の矢印Ａ方向）へ把持部２３３ａを押しながら、外側（図１９の矢印Ｂ方向）へ把持部２３３ａをスライドさせる。これにより、片方の手の複数本の指を用いて、室内機１に対するモータ部２３０の係止状態を解除しつつ、モータ部２３０を横方向へ移動させることができる。したがって、室内機１からのモータ部２３０の取り外し作業を容易に行うことができる。
【００８７】
〔第４の実施形態〕
本発明の第４の実施形態について、図２０から図２２を参照しながら説明する。図２０には、第４の実施形態にかかる室内機３０１に備えられたモータ部３３０を示す。なお、第４の実施形態にかかる室内機３０１において、モータ部３３０以外の構成については、第１の実施形態と同様の構成が適用できる。そこで、第１の実施形態と同じ構成が適用できる構成部材については、第１の実施形態と同じ符号を付し、その説明を省略する。
【００８８】
室内機３０１の内部には、クロスフローファン２１、室内側熱交換器２２、ドレンパン２３、モータ部３３０、および電装ボックス（図示せず）などが備えられている。クロスフローファン２１、室内側熱交換器２２、ドレンパン２３、および電装ボックスについては、第１の実施形態と同様の構成が適用できる。
【００８９】
モータ部３３０は、正面から見てクロスフローファン２１の右隣に配置されている。図２１には、モータ部３３０の外観を示す。モータ部３３０は、主として駆動モータ３１と、モータケース３３２とで構成されている。駆動モータ３１は、第１の実施形態と同様の構成が適用できる。
【００９０】
モータケース３３２は、内部に駆動モータ３１を収容している。モータケース３３２は、室内機１の本体部（本実施形態では、筐体１０を構成する背面パネル１３）に対して取り外し可能に取り付けられている。モータケース３３２は、駆動モータ３１の形状に合わせて、略円筒形状の外形を有している。但し、モータケース３３２の背面部３３６は、平坦な形状となっている。これは、モータケース３３２の背面部３３６が、室内機１の本体と（より具体的には、背面パネル１３）と接続されるためである（図２２参照）。
【００９１】
モータケース３３２は、２つに分割された前ケース３３２ａと後ケース３３２ｂとで構成されている。後ケース３３２ｂは、背面部３３６を有している。
【００９２】
なお、本実施形態にかかるモータケース３３２は、指掛け部３３３を有している。指掛け部３３３は、第１の実施形態のモータケース３２の指掛け部３３とは異なる形状を有している。図２１に示すように、指掛け部３３３は、モータケース３３２の側面から突出した形状を有している。
【００９３】
本実施形態では、指掛け部３３３は、主として、把持部３３３ａと板状部３３３ｂとで構成されている。把持部３３３ａは、板状部３３３ｂの先端に位置している。把持部３３３ａは、モータ部３３０が室内機１に取り付けられた状態で、前後方向に延びる棒状の部材である。モータ部３３０の取り出し作業時に、作業者は把持部３３３ａを把持することができる。板状部３３３ｂは、モータケース３３２の右側面から右方向へ突出している。板状部３３３ｂは、モータ部３３０が室内機１に取り付けられた状態で、前後方向に延びる板状の部材である。
【００９４】
また、第１の実施形態と同様に、筐体１０を構成する背面パネル１３には、モータケース３３２のスライド移動（左右方向の移動）を補助するレール部（摺動部）４１、４２、および４３が設けられている（図２２参照）。そして、中央に位置するレール部４１の先端部（右側端部）には、ツメ部４１ａが形成されている。ツメ部４１ａは、第１の実施形態と同様の形状を有している。モータ部３３０を室内機１から取り外す際には、ツメ部４１ａを後方側に押すことで、ツメ部４１ａの抜け抑制作用を解除し、モータ部３３０を右側へスライドさせることができる。
【００９５】
モータ部３３０を室内機１から取り外す際には、作業者は、片方の手の複数本の指（例えば、右手の親指と人差し指）で指掛け部３３３の把持部３３３ａを把持する。そして、同じ手の残りの指（例えば、中指）でツメ部４１ａを後方側に押して、ツメ部４１ａの抜け抑制作用を解除しながら、把持部３３３ａを把持している指を使ってモータ部３３０を横方向へ移動させる（図２１の矢印参照）。これにより、室内機１からのモータ部３３０の取り外し作業を容易に行うことができる。
【００９６】
本実施形態では、図２２に示すように、ツメ部４１ａは、モータケース３３２が室内機１に取り付けられた状態で、指掛け部３３３よりも背面側に位置している。さらに、ツメ部４１ａと指掛け部３３３とは、正面視で略同じ高さに位置している。より厳密には、指掛け部３３３は、ツメ部４１ａの中央部よりもやや下方に位置している。すなわち、指掛け部３３３は、正面視で、ツメ部４１ａの中央部からわずかにずれた位置に配置されている。
【００９７】
この構成によれば、右手の人差し指と親指とで指掛け部３３３を把持した状態で、右手の残りの指（例えば、中指など）を用いてツメ部４１ａを押すという作業を行い易くすることができる。これにより、片方の手の複数本の指を用いて、室内機１に対するモータ部３３０の係止状態を解除しつつ、モータ部３３０を横方向へ移動させることができる。
【００９８】
また、モータケース３３２に対する指掛け部３３３の接続位置は、モータケース３３２の外周面よりも、駆動モータ３１の回転中心Ｃに対応する位置により近くなっている。言い換えると、室内機３０１の上下方向において、回転中心Ｃからモータケース３３２の外周面までの距離をＬ１（図２２参照）とし、回転中心Ｃから指掛け部３３３の配置位置までの距離をＬ２（図２２参照）とした場合に、指掛け部３３３は、Ｌ２／Ｌ１≦０．５となるように配置されている。
【００９９】
この構成によれば、指掛け部３３３に載置された作業者の指からの力が、レール部４１へより伝達されやすくなる。そのため、モータ部３３０の取り外し作業をより容易に行うことができる。
【０１００】
〔第５の実施形態〕
本発明の第５の実施形態について、図２３から図２４を参照しながら説明する。図２３には、第５の実施形態にかかる室内機４０１に備えられたモータ部４３０を示す。なお、第５の実施形態にかかる室内機４０１において、モータ部４３０以外の構成については、第１の実施形態と同様の構成が適用できる。そこで、第１の実施形態と同じ構成が適用できる構成部材については、第１の実施形態と同じ符号を付し、その説明を省略する。
【０１０１】
室内機４０１の内部には、クロスフローファン２１、室内側熱交換器２２、ドレンパン２３、モータ部４３０、および電装ボックス（図示せず）などが備えられている。クロスフローファン２１、室内側熱交換器２２、ドレンパン２３、および電装ボックスについては、第１の実施形態と同様の構成が適用できる。
【０１０２】
モータ部４３０は、正面から見てクロスフローファン２１の右隣に配置されている。図２４には、モータ部４３０の外観を示す。モータ部４３０は、主として駆動モータ３１と、モータケース４３２とで構成されている。駆動モータ３１は、第１の実施形態と同様の構成が適用できる。
【０１０３】
モータケース４３２は、内部に駆動モータ３１を収容している。モータケース４３２は、室内機１の本体部（本実施形態では、筐体１０を構成する背面パネル１３）に対して取り外し可能に取り付けられている。モータケース４３２は、駆動モータ３１の形状に合わせて、略円筒形状の外形を有している。但し、モータケース４３２の背面部４３６は、平坦な形状となっている。これは、第１の実施形態などと同様に、モータケース４３２の背面部４３６が、室内機１の本体と（より具体的には、背面パネル１３）と接続されるためである。
【０１０４】
モータケース４３２は、２つに分割された前ケース４３２ａと後ケース４３２ｂとで構成されている。後ケース４３２ｂは、背面部４３６を有している。
【０１０５】
なお、本実施形態にかかるモータケース４３２は、指掛け部４３３を有している。指掛け部４３３は、第１の実施形態のモータケース３２の指掛け部３３とは異なる形状を有している。図２４に示すように、指掛け部４３３は、モータケース４３２の側面から突出した形状を有している。
【０１０６】
本実施形態では、指掛け部４３３は、主として、把持部４３３ａと板状部４３３ｂとで構成されている。把持部４３３ａは、板状部４３３ｂの先端に位置している。把持部４３３ａは、モータ部４３０が室内機１に取り付けられた状態で、上下方向に延びる板状の部材である。また、把持部４３３ａの上端部には棒状部４４４ａが形成されており、把持部４３３ａの下端部には棒状部４４４ｂが形成されている。
【０１０７】
板状部４３３ｂは、モータケース４３２の右側面から右方向へ突出している。板状部４３３ｂは、モータ部３３０が室内機１に取り付けられた状態で、前後方向に延びる板状の部材である。
【０１０８】
図２４に示すように、指掛け部４３３は、室内機１の正面から見て「Ｔ」字の形状（具体的には、「Ｔ」字が９０度回転した形状）に形成されている。モータ部４３０の取り出し作業時に、作業者は、把持部４３３ａの各棒状部４４４ａおよび４４４ｂに指を置くことができる。またあるいは、作業者は、モータケース４３２の側面と把持部４３３ａとの間に形成された空間内に、指を載置してもよい。
【０１０９】
また、第１の実施形態と同様に、筐体１０を構成する背面パネル１３には、モータケース４３２のスライド移動（左右方向の移動）を補助するレール部（摺動部）４１、４２、および４３が設けられている（図示せず）。そして、中央に位置するレール部４１の先端部（右側端部）には、ツメ部４１ａが形成されている。ツメ部４１ａは、第１の実施形態と同様の形状を有している。モータ部４３０を室内機１から取り外す際には、ツメ部４１ａを後方側に押すことで、ツメ部４１ａの抜け抑制作用を解除し、モータ部４３０を右側へスライドさせることができる。
【０１１０】
モータ部４３０を室内機１から取り外す際には、作業者は、片方の手の複数本の指で指掛け部４３３の把持部４３３ａを把持する。例えば、右手の親指を棒状部４４４ｂに当て、右手の人差し指を棒状部４４４ａに当てて、把持部４３３ａを上下方向から把持する。そして、同じ手の残りの指（例えば、中指）でツメ部４１ａを後方側に押して、ツメ部４１ａの抜け抑制作用を解除しながら、把持部４３３ａを把持している指を使ってモータ部４３０を横方向へ移動させる。これにより、室内機１からのモータ部４３０の取り外し作業を容易に行うことができる。
【０１１１】
本実施形態では、指掛け部４３３が上述したようなＴ字形状を有していることで、作業者の指が把持部４３３ａから滑りにくくすることができる。したがって、より把持しやすい構成の指掛け部４３３を提供することができる。
【０１１２】
なお、第４の実施形態と同様に、モータケース４３２に対する指掛け部４３３の接続位置（すなわち、板状部４３３ｂの配置位置）は、モータケース４３２の外周面よりも、駆動モータ３１の回転中心により近くなっていることが好ましい。
【０１１３】
この構成によれば、指掛け部４３３に載置された作業者の指からの力が、レール部４１へより伝達されやすくなる。そのため、モータ部４３０の取り外し作業をより容易に行うことができる。
【０１１４】
（まとめ）
本発明の一局面にかかる空気調和機は、筐体と、前記筐体内において左右方向に延びる送風機と、前記送風機を駆動するモータと、前記モータを収容し、前記筐体に対して取り外し可能に取り付けられているモータケースとを備えている。前記モータケースは、前記送風機の長手方向に隣接して配置されており、前記モータケースにおける、前記送風機との隣接面とは反対側の側面には、前記モータケースの取り外し時に作業者の指が接触する指掛け部が設けられている。
【０１１５】
上述の本発明の一局面にかかる空気調和機において、前記モータケースは、前記左右方向に移動させることで前記筐体から取り外し可能であり、前記筐体には、前記モータケースの前記左右方向の移動を規制し、前記モータケースが前記筐体から外れることを抑制する抜け抑制部が設けられており、前記モータケースが前記筐体に取り付けられた状態で、前記抜け抑制部は、前記指掛け部とは、正面視で異なる位置に配置されていてもよい。
【０１１６】
上述の本発明の一局面にかかる空気調和機において、前記モータケースが前記筐体に取り付けられた状態で、前記抜け抑制部は、前記指掛け部よりも背面側に位置し、かつ、前記抜け抑制部と前記指掛け部とは、正面視で略同じ高さに位置していてもよい。
【０１１７】
上述の本発明の一局面にかかる空気調和機において、前記指掛け部には、前記モータケースに対する前記抜け抑制部の移動規制作用を解除するための解除部が設けられており、前記指掛け部が押されることで、前記解除部は、前記抜け抑制部の移動規制作用を解除するように構成されていてもよい。
【０１１８】
上述の本発明の一局面にかかる空気調和機において、前記モータケースに対する前記指掛け部の接続位置は、前記モータケースの外周面よりも、前記モータケース内に配置される前記モータの回転中心に対応する位置により近くなっていてもよい。
【０１１９】
上述の本発明の一局面にかかる空気調和機において、前記筐体には、前記モータケースの取り付け位置に、前記モータケースの前記左右方向の移動を補助する摺動部が設けられており、前記指掛け部は、前記モータケース内に配置される前記モータの回転中心に対応する位置よりも、前記摺動部により近い位置に配置されていてもよい。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２１】
１        ：（空気調和機の）室内機
１０      ：筐体
１３      ：背面パネル（筐体）
２１      ：クロスフローファン（送風機）
２２      ：室内側熱交換器
３０      ：モータ部
３１      ：駆動モータ（モータ）
３２      ：モータケース
３３      ：指掛け部
３４      ：軸部（回転中心）
４１      ：レール部（摺動部）
４１ａ    ：ツメ部（抜け抑制部）
１０１    ：室内機
１３０    ：モータ部
１３２    ：モータケース
１３３    ：指掛け部
２０１    ：室内機
２３０    ：モータ部
２３２    ：モータケース
２３３    ：指掛け部
２３７    ：突起（解除部）
２４１ａ  ：ツメ部（抜け抑制部）
３０１    ：室内機
３３０    ：モータ部
３３２    ：モータケース
３３３    ：指掛け部
４０１    ：室内機
４３０    ：モータ部
４３２    ：モータケース
４３３    ：指掛け部
Ｃ        ：（モータの）回転中心
【図１】
2018197626.tif 000003
【図２】
2018197626.tif 000004
【図３】
2018197626.tif 000005
【図４】
2018197626.tif 000006
【図５】
2018197626.tif 000007
【図６】
2018197626.tif 000008
【図７】
2018197626.tif 000009
【図８】
2018197626.tif 000010
【図９】
2018197626.tif 000011
【図１０】
2018197626.tif 000012
【図１１】
2018197626.tif 000013
【図１２】
2018197626.tif 000014
【図１３】
2018197626.tif 000015
【図１４】
2018197626.tif 000016
【図１５】
2018197626.tif 000017
【図１６】
2018197626.tif 000018
【図１７】
2018197626.tif 000019
【図１８】
2018197626.tif 000020
【図１９】
2018197626.tif 000021
【図２０】
2018197626.tif 000022
【図２１】
2018197626.tif 000023
【図２２】
2018197626.tif 000024
【図２３】
2018197626.tif 000025
【図２４】
2018197626.tif 000026